(57)【要約】  本願の電子機器は、筐体（１）と軸状の脚（３）と脚組付け部（４）とを備える。脚組付け部（４）は、筐体（１）の一の面に脚（３）が挿入される穴の内側面に形成され、孤立したネジ山部に分けられた筐体ネジ山部（４ａ）を含む。脚（３）の軸部の周面は、筐体ネジ山部（４ａ）に螺合する第１のネジ構造部（３ａ）と、第１のネジ構造部（３ａ）よりも先に筐体ネジ山部（４ａ）と螺合する第２のネジ構造部（３ｂ）と、を有する。第２のネジ構造部（３ｂ）はガイド部（５ａ）と空回り誘導部（５ｂ）を有し、ガイド部（５ａ）は、脚（３）が筐体（１）に入り込む方向に回転しながら穴に挿入されるときに筐体ネジ山部（４ａ）を第２のネジ構造部（３ｂ）に案内し、空回り誘導部（５ｂ）は、脚（３）が筐体（１）から引き出される方向に回転させられたときには第２のネジ構造部（３ｂ）を筐体ネジ山部（４ａ）に対して空回りさせる。
2011010354.tif 000002
【特許請求の範囲】
【請求項１】
筐体と、
軸状の脚と、
前記筐体の一の面に前記脚が挿入される穴であり、該穴の内側面に形成された筐体ネジ山部を含む脚組付け部と、
を備え、
前記脚の軸部の周面は、前記筐体ネジ山部に螺合することが可能な連続した複数周分のネジ山を構成する第１のネジ構造部と、前記第１のネジ構造部と同じネジピッチでネジ山を構成する第２のネジ構造部であって、前記脚が前記穴へ挿入される際に前記第１のネジ構造部よりも先に前記筐体ネジ山部と螺合する第２のネジ構造部と、を有しており、
前記筐体ネジ山部は孤立した部分に分けられており、
前記第２のネジ構造部は、
前記脚が前記筐体に入り込む方向に回転しながら前記穴に挿入されるときに前記第２のネジ構造部が前記筐体ネジ山部を通過するように前記筐体ネジ山部を前記第２のネジ構造部に案内するガイド部と、
前記脚が前記筐体から引き出される方向に回転させられたときには前記第２のネジ構造部が前記筐体ネジ山部を通過しないように前記第２のネジ構造部を前記筐体ネジ山部に対して空回りさせる空回り誘導部と、を有する、電子機器。
【請求項２】
前記第２のネジ構造部は、１周分のネジ山と、該１周分のネジ山の始点と終点間を連結する連結部とを有しており、
前記ガイド部は、前記軸部の周方向に関する前記連結部の両端面のうちの、前記脚の挿入回転方向前側となる一方の面にあり、前記軸部の周面から前記連結部の外側面へと傾斜しており、
前記空回り誘導部は、前記連結部の前記一方の面とは反対側にあって、前記脚の軸部の半径方向に関して垂直な面で構成され、かつ、前記脚の軸部の延在方向に対して該軸部の周方向に傾斜している、電子機器。
【請求項３】
前記筐体ネジ山部は少なくとも第１のネジ山部、第２のネジ山部、および第３のネジ山部で構成されており、
前記第１のネジ山部、前記第２のネジ山部、および前記第３のネジ山部の各々が３周分のネジ山の１周ごとに備えられ、かつ、１周分のネジ山を３等分したときの一つ分以下に相当し、前記穴の脚挿入方向から見て互いに重ならないように配設されている、請求項２に記載の電子機器。
【請求項４】
前記脚が前記穴に挿入されて前記第２のネジ構造部が前記筐体ネジ山部を通過したときに前記第１のネジ構造部と前記第２のネジ構造部との間に前記筐体ネジ山部を位置させられるように、前記第２のネジ構造部は前記第１のネジ構造部から離れて配設されている、請求項１から３のいずれかに記載の電子機器。
【発明の詳細な説明】
【技術分野】
【０００１】
本発明は、設置面に対する電子機器の傾きや高さを調整する脚部の機構に関する。
【背景技術】
【０００２】
電子機器には、その高さや傾きを容易に調整する機構が設けられている。例えば、特許文献１（特開2005-234307号公報）に開示されているように、ネジ構造によって脚が伸縮する構造がある。【０００３】
しかし、このような構造では、脚を伸ばす際に、螺合状態が無くなるところまで伸ばしてしまうと電子機器本体から脚が落下してしまう問題がある。そこで、脚が容易に落下しないように脚の根元部に脚の外径よりも大きい抜け止め構造を設けることが提案されている。しかし、この方策は、脚を電子機器本体に組み付けるときの組立工程が増えてしまう問題がある。
【先行技術文献】
【特許文献】
【０００４】
【特許文献１】特開2005-234307号公報
【発明の概要】
【０００５】
本発明の目的は、上記背景技術の問題を解決できる脚部を有する電子機器を提供することにある。その目的の一例は、電子機器本体に簡便に組み込むことができる、脚の落下防止機構を有した伸縮可能な脚、及び、このような脚を備えた電子機器を提供することである。
【０００６】
本発明の一態様による電子機器は、筐体と、軸状の脚と、脚組付け部とを備える。脚組付け部は、筐体の一の面に脚が挿入される穴であり、該穴の内側面に形成された筐体ネジ山部を含む部分である。
【０００７】
脚の軸部の周面は、筐体ネジ山部に螺合することが可能な連続した複数周分のネジ山を構成する第１のネジ構造部と、第１のネジ構造部と同じネジピッチでネジ山を構成する第２のネジ構造部であって、脚が穴へ挿入される際に第１のネジ構造部よりも先に筐体ネジ山部と螺合する第２のネジ構造部と、を有する。
【０００８】
さらに、筐体ネジ山部は孤立した部分に分けられている。そして、第２のネジ構造部はガイド部と空回り誘導部を有している。
【０００９】
ガイド部は、脚が筐体に入り込む方向に回転しながら穴に挿入されるときに第２のネジ構造部が筐体ネジ山部を通過するように筐体ネジ山部を第２のネジ構造部に案内する。また、空回り誘導部は、脚が筐体から引き出される方向に回転させられたときには第２のネジ構造部が筐体ネジ山部を通過しないように第２のネジ構造部を筐体ネジ山部に対して空回りさせる。
【図面の簡単な説明】
【００１０】
【図１】（ａ）は本発明の一実施形態による脚を有した投写型表示装置を上面から見た斜視図、（ｂ）は該表示装置を下面から見た斜視図。
【図２】本発明の一実施形態による脚が取り付けられている状態を、機器本体を分解して表した斜視図。
【図３】本発明の一実施形態による脚を機器本体に組み付ける様子を示す図。
【図４】（ａ）は本発明の一実施形態による脚の側面図、（ｂ）は（ａ）に示す脚の部分拡大図、（ｃ）は（ａ）のＡ−Ａ断面図。
【図５】（ａ）は図３及び図４の脚が取り付けられる脚組付け部が位置する筐体内側面を示す平面図、（ｂ）は筐体本体の脚組付け部が位置する部分を横側から見た透視図。
【図６】（ａ）は図３及び図４の脚が取り付けられる脚組付け部が位置する筐体内側面を示す平面図、（ｂ）は（ａ）のＣ−Ｃ断面図。
【発明を実施するための形態】
【００１１】
以下、本発明の実施形態について図面を参照して説明する。ここでは、投写型表示装置を例にして詳細に説明するが、本願発明は設置面に対する高さを調整する必要がある電子機器であればよく、投写型表示装置に限定されない。
【００１２】
図１は本発明の一実施形態による脚を有した投写型表示装置を示し、（ａ）は装置上面側から見た斜視図、（ｂ）は装置底面側から見た斜視図である。機器本体（筐体）１の裏面の前方に１本、後方に２本、都合３本の脚２，３，４がある。前方の脚２と、後方の１本の脚３がその長さを調整できるようになっている。ユーザーは、このような脚２，３を使って、設置面に対する投写型表示装置の高さや傾きを調整することができる。
【００１３】
次に、本願発明に係る脚３、および脚３を取り付ける筐体構造について詳述する。
【００１４】
図２は、機器本体１を分解して脚３が取り付けられている状態を表した分解斜視図、図３は脚３の組み立て図である。なお、図３は、機器本体１については全体を示さずに脚３が取り付けられる脚組付け部４のみを示している。
【００１５】
脚３は脚３の軸部に第１のネジ構造部３ａと第２のネジ構造部３ｂを備える。第１のネジ構造部３ａは、脚３が機器本体１に装着された状態では第２のネジ構造部３ｂよりも機器本体１の設置面側に位置する。機器本体１の設置面側になる脚３の端部は、機器本体１に脚３を装着する人が持つ操作部３ｃとなっている。
【００１６】
第１のネジ構造部３ａの軸の周面には複数周分の通常のネジ山が作り込まれている。第１のネジ構造部３ａは、従来と同様に脚が機器本体１から伸縮（上下）するための作動部として機能する。第１のネジ構造部３ａから離れた位置に第２のネジ構造部３ｂが設けられている。この第２のネジ構造部３ｂが脚脱落防止部として機能する。
【００１７】
第２のネジ構造部３ｂは概ね１周分のネジ山からなり、該ネジ山の始点と終点で該ネジ山間は連結部５によって連結されている。また、第１のネジ構造部３ａのネジピッチと第２のネジ構造部３ｂのネジピッチは同じであり、ネジ山が周回する向きも両者は同じである。
【００１８】
図４に、脚３の具体的な構成を示す。図４（ａ）は脚３の側面図、図４（ｂ）は図４（ａ）中の一点鎖線の囲い部分の拡大図、図４（ｃ）は図４（ａ）のＡ−Ａ断面図である。これらの図に示すように、第２のネジ構造部３ｂの連結部５にはガイド部５ａと逆回転破損防止部５ｂが形成されている。
【００１９】
ガイド部５ａは機器本体１への脚３の装着時の回転方向前側に位置する。そして、ガイド部５ａは脚３の軸部の周面から連結部５の外側面へ傾斜している面で構成されている。
【００２０】
逆回転破損防止部５ｂはガイド部５ａに対して反対側に位置する。そして逆回転破損防止部５ｂは、脚３の軸部の半径方向に関して垂直な面で構成されており、この垂直面は脚３の軸部の延在方向に対して該軸部の周方向（図４（ｂ）の右方向）に傾斜している。
【００２１】
図５は、脚３が取り付けられる脚組付け部４の構造を示しており、（ａ）は脚組付け部４が配された機器本体の内側面を示す上面図、（ｂ）は機器本体の脚組付け部４が位置する部分の縦断面図である。
【００２２】
機器本体１（筐体１）の内側面に、円筒状の脚組付け部１ａが設けられ、その筒状の穴の内側面に、脚３のネジ構造部３ａ，３ｂと同じネジピッチからなる筐体ネジ山部４ａが設けられている。ネジ構造部３ａ，３ｂと筐体ネジ山部４ａとは、脚３を時計回りに回転させると互いにねじ合って脚３が筐体本体１の内部へ進入し、脚３を反時計回りに回転させると脚３が筐体本体１の外側へ出てくるように構成されている。
【００２３】
この筐体ネジ山部４ａは、少なくとも３ピッチ（３段）分のネジ山であって３つのネジ山で構成される。つまり、筐体ネジ山部４ａは３周分（３ピッチ分）のネジ山の１周ごとに第１のネジ山部４ａ―１、第２のネジ山部４ａ―２、および第３のネジ山部４ａ―３を有する。さらに、筐体ネジ山部４ａは、機器本体１の底面から脚組付け部１ａの穴の中を見たときに各ネジ山部４ａ―１，４ａ―２，４ａ―３が互いに重ならないように構成されている（図５（ａ）参照）。そのため、各ネジ山部４ａ―１，４ａ―２，４ａ―３は、１周分のネジ山を三等分したときの一つ分以下に相当するネジ山部で構成される。より好ましくは、機器本体１の底面から脚組付け部１ａを見たときに、各ネジ山部の間に隙間４ｂがあるように筐体ネジ山部４ａが構成される。
【００２４】
このように複数のネジ山部が孤立する構成であることにより、連続したネジ山構造の場合よりも金型構造が簡単になる。例えば金型にスライド機構を用いなくてよくなる。したがって、電子機器の機器本体を金型で製造するときに、機器本体を安価で製造することができる。
【００２５】
次に、脚３を機器本体１に装着するときの動作について説明する。
【００２６】
ユーザーが脚３を脚組付け部４の穴に対して真っ直ぐに挿入すると、第２のネジ構造部３ｂが、脚組付け部４の内部に設けられた筐体ネジ山部４ａに当たって挿入できない。
【００２７】
そこで、脚３の操作部３ｃを手で持ち、脚３を回転させながら脚組付け部４の内側に挿入すると、第２のネジ構造部３ｂが筐体ネジ山部４ａとかみ合って脚３が挿入される。具体的には、まず、脚３を時計回りに回転させると、筐体ネジ山部４ａの第１のネジ山部４ａ―１に、脚３に形成された第２のネジ構造部３ｂの連結部５のガイド部５ａ（図４（ｂ）（ｃ）参照）が当たる。
【００２８】
そして、さらに脚３を回転させると、図４（ｂ）に示すようにガイド部５ａは脚３の軸部の周面から連結部５の外側面へと傾斜しているので、第１のネジ山部４ａ―１はガイド部５ａに乗り上げ、さらに連結部５を越える。
【００２９】
３周分（３ピッチ分）のネジ山の１周ごとに各ネジ山部４ａ―１，４ａ―２，４ａ―３が分かれて設けられ、脚組付け部１ａの穴形成方向から見て互いに重ならないように配置されている。その結果、図６（ｂ）の領域（一点鎖線の囲み）Ｂに示すように、孤立した第３のネジ山部４ａ―３の向かい側にはネジ山部がない。そのため、脚３を回転させながら挿入するときにその脚を傾けることができ、この傾きにより、上記のように第１のネジ山部４ａ―１にて連結部５を容易に越えさせて脚３を挿入できる。
【００３０】
第１のネジ山部４ａ―１を第２のネジ構造部３ｂが通過すると、第２のネジ山部４ａ―２に、第２のネジ構造部３ｂの連結部５のガイド部５ａが当たる。この場合も先と同様に、第２のネジ構造部３ｂの連結部５は第２のネジ山部４ａ―２を通過する。さらに脚３を回転させていくと、第２のネジ構造部３ｂの連結部５は第３のネジ山部４ａ―３を通過する。
【００３１】
このようにして、第２のネジ構造部３ｂは脚組付け部４内側の筐体ネジ山部４ａを完全に通過する。さらに脚３を回転させながら押し込むと、第１のネジ構造部３ａが筐体ネジ山部４ａとねじ合って筐体ネジ山部４ａを通過し、脚３が筐体本体１内に格納される。
【００３２】
また、筐体本体１内に格納された脚３を反時計回りに回転させることで、脚３を筐体本体１から引き出すことができる。以上のような構成により、脚の伸縮調整（長さ調整）が実現する。
【００３３】
脚３を伸ばす過程で第１のネジ構造部３ａを筐体本体１から出しきると、脚組付け部４の筐体ネジ山部４ａは第１のネジ構造部３ａと第２のネジ構造部３ｂとの間に位置する。
【００３４】
この状態では、第２のネジ構造部３ｂが筐体ネジ山部４ａで受け止められているので、脚３の落下を防止できる。さらに、ユーザーが脚３を引き出そうとして脚３を反時計回りに回転させても、脚３の引き出し状態はほとんど変化しない。反時計回りの脚３の回転に伴い、筐体ネジ山部４ａに脚３の連結部５の逆回転破損防止部５ｂが筐体ネジ山部４ａに当たるので、これ以上第２のネジ構造部３ｂが脚の引き出し方向に進むことはできない。
【００３５】
すなわち、逆回転破損防止部５ｂは図４（ｂ）に示したように脚３の軸部の半径方向に関して垂直な面で構成されており、この垂直面は脚３の軸部の延在方向に対して該軸部の周方向（図４（ｂ）の右方向）に傾斜している。そのため、反時計回りに脚３を回転させても、逆回転破損防止部５ｂは筐体ネジ山部４ａで止まらず筐体ネジ山部４ａにそのまま沿って移動されることになる。よって、筐体ネジ山部４ａは第２のネジ構造部３ｂの連結部５を乗り越えることはなく、結果、脚３が同じ位置で空回りすることになる。逆回転破損防止部５ｂは脚の空回り誘導部でもある。
【００３６】
脚３を同じ場所で回転させられるので、必要以上の回転力で脚３が操作されても、脚３と脚組付け部４に力が加わることはなく、脚３および脚組付け部４が破壊されることはない。なお、脚３を機器本体１から完全に抜く場合には、脚３を傾斜させながら回転することで実現できる。
【００３７】
以上のような本発明の構成によれば、電子機器本体に脚をネジのように簡単に組み込むことができる。そして、電子機器本体に組み込まれた脚３を回転させて伸ばすとき第２のネジ構造部３ｂが筐体ネジ山部４ａに引っかかり、そこで空回りするため、それ以上引き出すことができない。したがって、脚３の落下を防止することができる。
【００３８】
以上、実施形態例を参照して本願発明を説明したが、本願発明は上記の実施形態例に限定されるものではない。本願発明の形や細部には、本願発明の技術思想の範囲内で当業者が理解し得る様々な変更をすることができる。
【符号の説明】
【００３９】
１    機器本体
２，３    脚
３ａ    第１のネジ構造部
３ｂ    第２のネジ構造部
４    脚組付け部
４ａ    筐体ネジ山部
４ａ―１    第１のネジ山部
４ａ―２    第２のネジ山部
４ａ―３    第３のネジ山部
５    連結部
５ａ    ガイド部
５ｂ    空回り誘導部
【図１】
2011010354.tif 000003
【図２】
2011010354.tif 000004
【図３】
2011010354.tif 000005
【図４】
2011010354.tif 000006
【図５】
2011010354.tif 000007
【図６】
2011010354.tif 000008
【国際調査報告】
2011010354.tif 000009
2011010354.tif 000010